(57)【要約】【課題】バーコードリーダをラベルに近接させて走査することなく、大量の情報を有する自動車内装品を提供する。【解決手段】リーダ手段にて読み取ることができる管理情報が記録された管理カードが固着された自動車内装品であって、前記管理カードは、電磁波を送受信する無線手段と、上記管理情報を電子的に記録する記録手段と、上記無線手段を介して入力される指示情報に基づき、蒸記記録手段の上記管理情報を読み書きし、読み出した管理情報を上記無線手段を介して送信する読み書き手段と、上記無線手段で受信した電磁波から電力を起こして各手段に供給する電力供給手段とからなり、上記リーダ手段は、上記管理カードの無線手段との上記電磁波の送受信を行う通信手段と、該通信手段を介して上記管理カードの起動及び上記管理情報の読み書きを行うカード制御手段とを具備するものである自動車内装品。【選択図】図１
2005279984.tif 000002
【特許請求の範囲】
【請求項１】
リーダ手段にて読み取ることができる管理情報が記録された管理カードが固着された自動車内装品であって、前記管理カードは、電磁波を送受信する無線手段と、上記管理情報を電子的に記録する記録手段と、上記無線手段を介して入力される指示情報に基づき、蒸記記録手段の上記管理情報を読み書きし、読み出した管理情報を上記無線手段を介して送信する読み書き手段と、上記無線手段で受信した電磁波から電力を起こして各手段に供給する電力供給手段とからなり、上記リーダ手段は、上記管理カードの無線手段との上記電磁波の送受信を行う通信手段と、該通信手段を介して上記管理カードの起動及び上記管理情報の読み書きを行うカード制御手段とを具備するものである自動車内装品。
【請求項２】
少なくとも芯材を有する自動車内装品において芯材に管理カードを設置した請求項１に記載の自動車内装品。
【発明の詳細な説明】
【技術分野】
【０００１】
本発明は、バーコード等で情報を記憶したラベルを貼り付けるなどして、物品の名称や価格等を管理する技術に係り、特に自動車内装品に組み込まれた状態で、その部品に関する管理情報を効率的に読み取り管理するのに好適な自動車内装品に関するものである。
【背景技術】
【０００２】
従来の物品管理技術、例えば、自動車等の部品の管理技術においては、各部品の名称や価格等の情報（管理情報）を台帳等に記載することにより管理していた。そして、いくつかの部品が組み合わされたアッセンブリ品に関しては、その中にどのような単体部品が組み込まれているかを調べる為に、アッセンブリ品から各単体部品を取り外し、目視等でチェックし、台帳に照らし合わせていたので、作業者に大きな負荷が掛かっていた。
【０００３】
このような部品の管理作業負荷を軽減する為の従来技術として、バーコードを用いたものがある。即ち、バーコードで管理情報を記憶させたラベル（シール）を部品に貼り、バーコードリーダにより赤外線レーザで走査する等して管理情報を読み込むシステムが用いられている。
【０００４】
しかし、このようなバーコードを用いた物品の管理技術でも、自動車のエンジン等、幾つかの部品が組み合わされたアッセンブリ品に関しては、その中にどのような単体部品が組み込まれているかを調べる為には、アッセンブリ品から各単体部品を取り外して、各単体部品に貼り付けられたラベルのバーコードを読み込まなければならず、また、バーコードリーダをラベルに近接させて走査しなければならず、作業性が悪い。又、バーコードで記録できる情報の量は少ないので、管理できる情報は、名称や価格等の限られたものとなっている。
【発明の開示】
【発明が解決しようとする課題】
【０００５】
本出願の課題は、従来の技術では、バーコードリーダをラベルに近接させて走査しなければならない点、及び、ラベルに大量の情報を記録できない点である。本発明の目的は、これら従来技術の課題を解決し、自動車のエンジンなどのアッセンブリ品の管理情報の取得作業等に関しても効率良く行うことを可能とする管理システムを実現できる自動車内装品を提供することである。
【課題を解決するための手段】
【０００６】
上記課題を解決する請求項１に係る発明は、リーダ手段にて読み取ることができる管理情報が記録された管理カードが固着された自動車内装品であって、前記管理カードは、電磁波を送受信する無線手段と、上記管理情報を電子的に記録する記録手段と、上記無線手段を介して入力される指示情報に基づき、上記記録手段の上記管理情報を読み書きし、読み出した管理情報を上記無線手段を介して送信する読み書き手段と、上記無線手段で受信した電磁波から電力を起こして各手段に供給する電力供給手段とからなり、上記リーダ手段は、上記管理カードの無線手段との上記電磁波の送受信を行う通信手段と、該通信手段を介して上記管理カードの起動及び上記管理情報の読み書きを行うカード制御手段とを具備するものである自動車内装品にある。
【０００７】
請求項２に記載の発明は、少なくとも芯材を有する自動車内装品において芯材に管理カードを設置した請求項１に記載の自動車内装品にある。
【発明の効果】
【０００８】
請求項１に記載の発明は、リーダ手段にて読み取ることができる管理情報が記録された管理カードが固着された自動車内装品であって、前記管理カードは、電磁波を送受信する無線手段と、上記管理情報を電子的に記録する記録手段と、上記無線手段を介して入力される指示情報に基づき、上記記録手段の上記管理情報を読み書きし、読み出した管理情報を上記無線手段を介して送信する読み書き手段と、上記無線手段で受信した電磁波から電力を起こして各手段に供給する電力供給手段とからなり、上記リーダ手段は、上記管理カードの無線手段との上記電磁波の送受信を行う通信手段と、該通信手段を介して上記管理カードの起動及び上記管理情報の読み書きを行うカード制御手段とを具備するものである自動車内装品であることから、管理カードの読み取り装置を管理カードに近接させて走査する必要がなくなり、又、大量の情報を記録できるので、自動車のエンジン等のアッセンブリ品の管理情報の取得作業に関しても効率良く行うことが可能である。さらに、製造する自動車内装品本体の製造履歴（製造時期・製造者・製造ロット・出荷時期・使用材料等の管理）や、製品が自動車メーカーで車両に組み込まれてからの車両本体の製造履歴、販売ルートに乗り市場出荷される時点の所有者等の販売先履歴・運転履歴等の記録をすることができる。
【０００９】
請求項２に記載の発明は、少なくとも芯材を有する自動車内装品において芯材に管理カードを設置した請求項１に記載の自動車内装品であることから、管理カードの保護がされ、又一般ユーザーが使用する場合に容易に部品が外せない、用品市場で交換されることがない等の利点がある。
【発明を実施するための最良の形態】
【００１０】
以下、図面を参照しつつ本発明の実施形態を説明する。図1は本発明に係る自動車内装品に設置された管理カードの働きを示したブロック図である。図１において、１は管理対象の部品、２は部品１の表面に貼り付けられた非接触型ＩＣカードからなる管理カードとしての部品カード、３は部品カード２との非接触（無線）での情報のやり取りを行うリーダ装置である。
【００１１】
部品カード２は、電磁波を送受信する無線部２ａと、部品１に関する管理情報を電子的に記録する記録部２ｂと、無線部２ａを介してリーダー装置３から入力される指示情報に基づき、記録部２ｂの管理情報を読み書きし、読み出した管理情報を無線部２ａを介して送信する読み書き部２ｃと、無線部２ａで受信した電磁波から電力を起こして各部に供給する電力供給部２ｄ、及びＣＰＵによる制御に基づき部品カード２の全体の処理動作を制御する制御部２ｅにより構成されている。
【００１２】
又、リーダ装置３は、ＣＰＵを用いたコンピュータ処理によりリーダ装置３全体の動作を制御する主制御部３ａと、ＬＣＤ等からなる表示部３ｂと、走査者からの指示がペンタッチ等の操作により入力される入力装置３ｃと、部品カード２との情報のやり取りを制御するカード制御部３ｄと、主制御部３ａの制御動作プログラム等を記録するメモリ３ｅとにより構成されている。さらに、カード制御部３ｄは、部品カード２の無線部２ａととの電磁波の送受信を行う通信部３ｆを具備し、この通信部３ｆを介して部品カード２の起動及び管理情報の読み書きを行う。
【００１３】
リーダ装置３は、入力装置３ｃを介して、部品カード２の管理情報の読み取り指示が入力されると、カード制御部３ｄを起動し、カード制御部３ｄは、通信部３ｆから電磁波により指示を送信する。部品カード２は、通信部３ｆからの電磁波を無線部２ａの図示していないアンテナ回路で受信すると、このアンテナ回路で受信した電磁波による誘起電圧を用いて電力供給部２ｄから各部に電力を供給して起動する。そして、起動された読み書き部２ｃは、無線部２ａで受信したリーダ装置３からの指示に基づき、記録部２ｂに記録された管理情報、例えば、部品番号（ＩＤ）や部品名、登録年月日、図面、修理履歴情報などを読み出し、無線部２ａを介して送信する。
【００１４】
リーダ装置３は、通信部３ｆを介して部品カード２からの管理情報を受信すると、その管理情報をメモリ３ｅに記録すると共に表示器３ｂで表示し、リーダ装置３の操作者に通知する。このように、本例の自動車内装品では、非接触型カードＩＣのように、電子的に情報を記録し、かつ、無線での情報のやり取りが簡単な機能を埋め込んだ部品カード２を、管理対象の部品１に貼り付けて、部品１の管理を行う。
【００１５】
このことにより、例えば、車の保守、修理を行う場合にも、修理する部品に貼られた部品カード２から無線により、その管理情報を読み出すことでき、修理対象の部品を車かすら取り外す作業が不要となる。さらに、作業手順や図面等の大量の情報が記録され、直接、参照できるので、作業効率がさらに改善される。さらに、リーダ装置３をパーソナルコンピュータやワークステーション等に接続する構成とすることにより、さらに、効率的な部品管理を行うことができる。さらには、車両が盗まれた場合や、犯人逃走等の犯罪等の発生時に、ＧＰＳを使用した車両の早期発見や運行記録等の解析によりアリバイ解明等の自動車車両に係るデータ機能の活用に期待が高まる。
【図面の簡単な説明】
【００１６】
【図１】本発明に係る自動車内装品に設置された管理カードの働きを示したブロック図である。
【符号の説明】
【００１７】
１  部品
２  部品カード
２ａ無線部
２ｂ記録部
２ｃ読み書き部
２ｄ起電部
２ｅ制御部
３  リーダ装置
３ａ主制御部
３ｂ表示器
３ｃ入力装置
３ｄカード制御部
３ｅメモリ
３ｆ通信部
【図１】
2005279984.tif 000003